(57)【要約】      （修正有）【課題】自転車後部に取り付けた子供用補助座席と、乗車する子供を降雨や、寒さから守る為のカバーであり、迅速に子供を乗降させること、簡易に着脱できて、コンパクトに収納できる自転車後部子供用補助座席に対応できるカバーを提供する。【解決手段】該補助椅子カバーは、透明のシート状の材質で出来ており、補助座席を上部及び前後左右から覆っている。左右の面を構成するカバー片を、ファスナーを介して、前後の面を構成するカバー本体に固定することを特徴とし、これにより左右いずれの面も全開することができる。ヘッドレストの無い補助座席には、プラスチック製、または金属製のフレームを設置する。また、カバーの裾を数箇所、紐状部材で荷台及び座席に固定するだけなので、容易に着脱できる。【選択図】図３（ａ）
0003164538.tif 000002
【実用新案登録請求の範囲】
【請求項１】
自転車後部に設置する子供用補助座席及び乗車する子供を上部及び前後左右から覆うカバーにおいて、前記カバーの左右の面を構成するカバー片を、ファスナーを介して、カバー本体に固定することを特徴とする自転車後部子供用補助椅子カバー。
【請求項２】
請求項１において、下方開口周縁部の前辺及び後辺にのみ、紐状部材を数箇所取り付けることで、自転車の荷台又は補助座席に着脱できるようにしたことを特徴とする請求項１記載の自転車後部子供用補助椅子カバー。
【請求項３】
自転車の荷台又は補助椅子に取り付ける、カバー本体を支えるフレームを備えたことを特徴とする請求項１又は請求項２記載の自転車後部子供用補助座席カバー。
【考案の詳細な説明】
【技術分野】
【０００１】  本考案は自転車後部に設置された子供用補助座席のカバーに関するものである。
【背景技術】
【０００２】  自転車前部に設置された補助座席においては子供を雨や風から保護するカバーは周知されているが、後部に設置された補助座席においては、乗車する子供は雨合羽を着用させることなどでしか、雨から保護できない。また、冬の雨天時、防寒衣類の上から雨合羽を着用させるのは、困難である。【０００３】  そのため、最近では自転車後部の補助座席に乗せた子供を雨や寒さから保護するために雨具が開発されている。（例えば、特許文献１〜３）【０００４】
【特許文献１】  登録実用新案第３１４２８４６号
【特許文献２】  特開２００７−２４６０６８
【特許文献３】  特開２００８−６２８２３
【考案の開示】
【考案が解決しようとする課題】
【０００５】  特許文献１のチャイルドシートカバー及び、特許文献２の日除け雨除けフードは、子供を乗せる際、カバー全体を取り外さなければならず、屋根の無い場所で取り外しの作業を行っていたのでは子供、保護者及び座席も数秒間、雨にさらされてしまう。また、双方とも、補助椅子の多様な形状に対応できないと考えられる。【０００６】  特許文献３の幼児用座席保護カバーにおいては、迅速に乗降が行え、補助椅子の多用な形状に対応できるが、特許文献１，２同様、乗降時に子供及び座席が全露出してしまう。【０００７】  本考案は、市販されているほとんどの形状の自転車後部用補助座席に対応でき、簡単に着脱できること、また、子供及び座席を雨や寒さから保護すること、さらにファスナーによる開閉という簡単な作業により、迅速に乗降させられることを目的としたカバーを提供するものである。また、装着したまま乗降させることにより起こりうる、自転車の転倒などの危険性も考慮したカバーである。
【課題を解決するための手段】
【０００８】  本考案のカバーは、左右の面を構成するカバー片を、ファスナーを介して、前後の面を構成するカバー本体に固定していることが特徴であり、これにより、左右いずれの側面も全開にでき、迅速に子供の乗降が行える。また、上部が覆われていることから座席も濡れない。【０００９】  子供を降ろす時、子供の足が保護者の反対側の側面に引っかかり自転車が転倒するのを防ぐために、左右側面は長くしている。これにより、乗車時、子供の足はカバーに覆われた形となり、水溜りの水等による跳ね返りの被害も防げる。【００１０】  また、前記カバーを数箇所、紐状部材で自転車又は補助座席に固定することで、簡単に着脱でき、不使用時はコンパクトに収納できる。【００１１】  ヘッドレストが付いている補助座席の場合、ヘッドレストを子供の頭上の高さに調節するだけで前記カバーを装着できるが、ヘッドレストが付いていない補助座席には、前記カバーを支えるために、プラスチックまたは金属製のフレームを面テープまたはワンタッチ留め具で座面に固定する。
【考案の効果】
【００１２】  本考案は、フレームを用いることで、市販されている、ほとんどの形状の後部補助座席に装着することができ、ファスナーにより一面を全開することで、迅速に子供を乗降させることが可能である。また、上部が覆われているため、座席が濡れない。さらに、カバーとフレームだけなので、収納時に場所をとらない。【００１３】  ファスナーは縦方向にスライドさせ、開閉する面を上に持ち上げるよう、４本用いてもよいし、逆Ｌ字型に取り付けてドアのように全開させてもよい。要は左右の側面を一面全開にできる構造であればよい。
【考案を実施するための最良の形態】
【００１４】  以下、添付の図面に基づき実施形態について説明する。
図１は本考案の子供用補助座席用カバー１の全体斜視図であり、２は雨を弾くシート状のものを使用。保護者から子供が確認でき、子供も圧迫感を感じないよう、透明のシート状のものが望ましい。３のネット状の通気孔を設けることで、湿気がこもらず、会話もできる。４のファスナーをスライドさせることで、一面を全開できる。５の紐状の面テープもしくは紐で、図２の８もしくは９に固定する。左右側面は長くなっており、座った子供の足を覆う。
【実施例１】
【００１５】  図２は本考案の補助椅子用カバーをヘッドレストの有るタイプの補助椅子に使用する時の模式図である。
【実施例２】
【００１６】  図３（ａ）は本考案の補助椅子用カバーをヘッドレストのないタイプの補助椅子に使用する時の模式図であり、図３（ｂ）はフレーム６の設置状態を表す一例である。７の面テープまたはワンタッチ留め具でフレーム５を８の座面に固定している。【００１７】  以上、一実施形態について説明したが、以下の通り、設計変更可能である。
カバー本体の形状、大きさ、材質は必要に応じて変更可能である。ファスナーの位置は一面が全開できるなら、変更可能である。
下方開口部周辺の前辺、後辺の紐状部材の数も自由である。
【図面の簡単な説明】
【００１８】
【図１】は本考案の自転車後部補助椅子用カバーの斜視図である。
【図２】は実施例１に係る本考案の自転車後部補助椅子用カバーの使用形態を示す模式図である。
【図３（ａ）】は実施例２に係る本考案の自転車後部補助椅子用カバーの使用形態を示す模式図である。
【図３（ｂ）】は実施例２に係るフレームの設置状態の一例である。
【符号の説明】
【００１９】１  自転車後部補助椅子用カバー
２  カバー
３  通気孔
４  ファスナー
５  紐状面テープまたは紐
６  フレーム
７  面テープまたはワンタッチ留め具
８  荷台
９  補助椅子
【図１】
0003164538.tif 000003
【図２】
0003164538.tif 000004
【図３（ａ）】
0003164538.tif 000005
【図３（ｂ）】
0003164538.tif 000006
【手続補正書】
【提出日】平成22年9月16日(2010.9.16)
【手続補正１】
【補正対象書類名】実用新案登録請求の範囲
【補正対象項目名】全文
【補正方法】変更
【補正の内容】
【実用新案登録請求の範囲】
【請求項１】
自転車後部に設置する子供用補助座席及び乗車する子供を上部及び前後左右から覆う、ほぼ四角柱のカバーにおいて、前記カバーの左右の面を構成するカバー片の両端の辺を、ファスナーを介して、前記カバーの前後の面の両端の辺に固定することを特徴とし、側面の縦２本の辺に取り付けたファスナーを上下にスライドさせることで側面を全開することが出来る、自転車後部子供用補助椅子カバー。
【請求項２】
請求項１記載のカバーにおいて、下方開口周縁部の前辺及び後辺にのみ、数箇所、紐状部材を取り付け、自転車の荷台又は補助座席にくくり留めることで着脱を可能にすることを特徴とする自転車後部子供用補助椅子カバー。
【請求項３】
請求項１、又は、請求項２に記載のカバーにおいて、フレームを設置することで、ヘッドレストのない補助椅子に使用することができ、フレームは屋根部、背もたれ部とそれらを支えるために背もたれ部の下端２箇所から前方へ突出した底辺からなり、補助椅子の座面に据え置き、固定することでカバー本体を支えるものとし、プラスチック製又は金属製の前記フレームを備えたことを特徴とする自転車後部子供用補助椅子カバー。